(57)【要約】【課題】  筒状フード先端面を被吹付け面へ完全に密接させずにトリガーを勢い良く引くと、フード先端部から霧が周囲に吹きこぼれて無駄になるという欠点を解消する。【解決手段】  ノズル筒先端に筒状フードを付設したトリガー式液体噴出器において、上記ノズル筒10に筒状フード21の後端部分22を前方付勢させて前後動可能に装着するとともに、筒状フード21から後方突出させたストッパ部材31がトリガー７後面に係合してトリガー操作を制止し、又筒状フード21を後方へ押し込んだ状態でのトリガー操作が可能とした。【選択図】  図１
2005279563.tif 000002
【特許請求の範囲】
【請求項１】
ノズル筒先端に筒状フードを付設したトリガー式液体噴出器において、上記ノズル筒10に筒状フード21の後端部分22を前方付勢させて前後動可能に装着するとともに、筒状フード21から後方突出させたストッパ部材31がトリガー７後面に係合してトリガー操作を制止し、又筒状フード21を後方へ押し込んだ状態でのトリガー操作が可能としたことを特徴とするトリガー式液体噴出器。
【請求項２】
上記ストッパ部材31は、上記筒状フード21の左右両側部から後方へ突設する一対の連結腕32,32と、これら連結腕の後端部間に架設した制動板33とで形成したことを特徴とする、請求項１記載のトリガー式液体噴出器。
【請求項３】
上記筒状フード21をノズル筒10に対して着脱自在としたことを特徴とする、請求項１又は請求項２記載のトリガー式液体噴出器。
【請求項４】
上記ノズル筒10の周囲に前面開口の嵌合溝11を形成し、該嵌合溝内に上記筒状フード21の後端部分22がスライド可能に装着したことを特徴とする、請求項１乃至請求項３の何れかに記載のトリガー式液体噴出器。
【請求項５】
上記ノズル筒10の外側に、上記嵌合溝11を有する連結筒部材19を着脱自在に嵌合させたことを特徴とする、請求項４記載のトリガー式液体噴出器。
【発明の詳細な説明】
【技術分野】
【０００１】
本発明は、トリガー式液体噴出器に関する。
【背景技術】
【０００２】
トリガー式噴出器において、洗剤などの噴射液体が被吹付け面から利用者の顔へ跳ね返ることを防止するため、噴出ノズルに筒状フードを付設したものが提案されている（特許文献１、特許文献２）。
【特許文献１】特開平８−３０９２４０号
【特許文献２】特開平９−２５３５３９号
【発明の開示】
【発明が解決しようとする課題】
【０００３】
上記噴出器では、不慣れな操作者が筒状フード先端面を被吹付け面へ完全に密接させずにトリガーを勢い良く引くと、フード先端部から霧が周囲に吹きこぼれて無駄になるなどの欠点があった。
本発明は、上記従来技術の不都合を解消するため、筒状フードの先端面が被吹付け面へ十分に密接されていない状態でのトリガーの操作を制止するストッパ部材を付設した、トリガー式液体噴出器を提供することにある。
【課題を解決するための手段】
【０００４】
第1の手段は、ノズル筒先端に筒状フードを付設したトリガー式液体噴出器において、上記ノズル筒10に対して、筒状フード21の後端部分22を、前方付勢させて前後動可能に装着するとともに、筒状フード21から後方突出させたストッパ部材31がトリガー７後面に係合してトリガー操作を制止し、又筒状フード21を後方へ押し込んだ状態でのトリガー操作が可能としている。
【０００５】
第2の手段は、上記第1の手段を有し、かつ上記ストッパ部材31は、上記筒状フード21の左右両側部から後方へ突設する一対の連結腕32,32と、これら連結腕の後端部間に架設した制動板33とで形成している。
【０００６】
尚、上記連結腕は、筒状フード21の左右両側部から後下方へ突出した構成とすることができる。
【０００７】
第３の手段は、上記第1の手段又は第２の手段を有し、かつ上記筒状フード21をノズル筒10に対して着脱自在としている。
【０００８】
第４の手段は、上記第1の手段乃至第３の手段の何れかを有し、かつ上記ノズル筒10の周囲に前面開口の嵌合溝11を形成し、該嵌合溝内に上記筒状フード21の後端部分22がスライド可能に装着している。
【０００９】
第５の手段は、上記第４の手段を有し、かつ上記ノズル筒10の外側に、上記嵌合溝11を有する連結筒部材19を着脱自在に嵌合させている。
【発明の効果】
【００１０】
請求項１の発明によれば、次の効果を奏する。
○前方へ付勢させた筒状フード21から後方突出するストッパ部材31を、トリガー７後面に係合させたから、筒状フード21が被吹付け面41から離れた状態でトリガー７を引こうとすると、大きな抵抗感を生じ、トリガー操作を制止させることができるとともに、仮に抵抗力に抗して無理にトリガーを引いても、該引込み力を減殺するので無抵抗でトリガーを引く場合に比べて周囲への液体の飛散量を軽減することができる。
○上述の如く筒状フード21はノズル筒10に対して進退自在に設けたから、該筒状フードの先端部を被吹付け面へ押し付けることで、容易にトリガー７後面へのストッパ部材31の係合を解除させることができ、操作が簡単である。
請求項２の発明によれば、制動板33を、上記筒状フード21の左右両側部から後下方へ突設する一対の連結腕32,32の両後端部間に架設させたから、上記トリガー７に対して制動板33を確実に係合させることができる。
【００１１】
請求項３の発明によれば、不使用時には筒状フード21を取り外してコンパクトに収納することができる。
【００１２】
請求項４の発明によれば、ノズル筒10外方に形成した嵌合溝11内に筒状フード21の後端部分22をスライド自在に装着させたから、該筒状フード21の前後動を確実に案内することができる。
【００１３】
請求項５の発明によれば、次の効果を奏する。
○ノズル筒10の外側に、嵌合溝11を有する連結筒部材19を着脱自在に嵌合させたから、使用後に筒状フード21及び連結筒部材19をノズル筒10から外して、これらノズル筒、連結筒部材、及び筒状フードを簡単に洗浄することができる。
○又、筒状フード21を使う必要がないときには該筒状フード21を連結筒部材19とともにノズル筒10から取り外せばよく、広い用途に使用できる。
【発明を実施するための最良の形態】
【００１４】
図１から図５は、本発明の第1の実施形態に係るトリガー式液体噴出器を示しており、該トリガー式液体噴出器は、液体噴出容器１と、筒状フード21と、ストッパ部材31とで構成されている。
【００１５】
液体噴出容器１は、容器本体２の口頸部に装着筒３を介してポンプ本体４を装着しており、図１及び図４に示す如く該ポンプ本体が有する水平射出筒６の前端部から垂下するトリガー７を後方へ引くことで、容器本体２内から液体をポンプ室内へ吸い上げ、該ポンプ室内の液体を上記水平射出筒６の先端部に付したノズル筒10を介して噴出可能に構成している。
【００１６】
本実施形態では、上記ノズル筒10の外側に嵌合溝11を形成している。図示の例では、ノズル筒10のノズル孔10a付き前壁13に付設した筒壁を前方へ延長して、該延長壁部とノズル筒筒壁とで内周壁12を形成するとともに、該内周壁の後端部から外向きフランジ14を介して外周壁15を前方突出し、これら内外周壁12,15の間に上記嵌合溝11を形成している。尚、上記内外周壁12,15の間には筒状フード前方付勢手段16としてのスプリングを内装させてあり、又、外周壁15の内面先端部には係止リブ17が付設されている。
【００１７】
筒状フード21は、その後端部分を形成する直筒状の基筒22と、該基筒から前方突出した前端大径のテーパ状筒部23とで形成され、上記基筒22を、上記嵌合溝11内へ上記筒状フード前方付勢手段16により前方付勢させて前後動自在に装着している。
【００１８】
尚、図示例では、上記基筒22を、補助嵌合筒25を介して上記嵌合溝11内に嵌挿させている。上記補助嵌合筒25は、大径筒部26前端から内向きフランジ27を介して小径筒部28を前方突出させてなり、該小径筒部28内面を内周壁12外面へ、又大径筒部26外面を外周壁15内面へ図５に示す如くそれぞれ摺動自在に嵌合させ、かつ上記内向きフランジ27後面と上記外向きフランジ14前面との間に上記付勢手段16としてのスプリングを介装させるとともに、上記内向きフランジ27の前面外縁部に上記外周壁15の係止リブ17を係止させて抜け留めしており、かつ上記小径筒部28外面に上記筒状フード21の基筒22を着脱自在に嵌合させている。
【００１９】
ストッパ部材31は、上記筒状フード21の左右両側部から下後方へ突出する一対の連結腕32と、これら連結腕の後端部の間に架設した制動板33とで形成され、該制動板が上記トリガー後面に接してトリガー操作を不能とするとともに、上記筒状フード21を後方へ押し込んだ状態で図１に想像線で示す如く上記制動板33がトリガー７後面から離れてトリガー操作が可能となるように構成している。尚、図示例では筒状フード21とストッパ部材31とを一体成形しているが、必ずしもそうする必要はない。
【００２０】
上記構成において、図１の状態ではストッパ部材31の制動板33がトリガー７の後面に係止しており、無理に力を入れない限り、トリガー操作をすることができない。次に図３に示す如く被吹付け面41へ筒状フード21の先端部を押し付けると、該筒状フード21とともに上記ストッパ部材31後退して、その制動板33がトリガー７の後面から離脱し、トリガーの揺動代αができるので、トリガーを自由に操作することができる。上記筒状フード21を被吹付け面41から離すと、筒状フード21が前方付勢されて、再び制動板33がトリガー７後面に係止し、図１の状態に戻る。
【００２１】
尚、図示例では、被吹付け面41からの筒状フード21の離脱により該筒状フードが自動的に前方へ復帰するように構成していたが、筒状フード21乃至補助嵌合筒25と内外周壁12,15とに、相互に解離可能に係合させて筒状フード21の後退状態を維持する係合手段を設け、筒状フード21を前方へ強制引出ししない限り筒状フード21が前方位置へ復帰しないように構成しても良い。
【００２２】
図６は、本発明の第２の実施形態を示している。本実施形態は、ノズル筒10の外側に着脱自在に連結筒部材19を形成したものである。その他の構成は基本的に上記第1実施形態と同じであるので、同一符号を付することで説明を省略する。
【００２３】
上記連結筒部材19は、上記ノズル筒10の筒壁外面へ着脱自在に嵌合させた内周壁12と、該内周壁後端から外向きフランジ14を介して前方突出した外周壁15とを有し、これら内外両周壁間に既述嵌合溝11を形成し、該嵌合溝内に上記筒状フードの基筒22及び補助嵌合筒25をスライド自在にかつ前方付勢させて嵌挿させている。
【００２４】
尚、上記ノズル筒10及び連結筒部材19の構成は適宜変更することができ、例えば該部材19を、上記外向きフランジに相当するフランジ状壁と外周壁とで形成するとともに、内周壁を第1実施形態と同じようにノズル筒10の周壁と一体として形成し、該内周壁の後端部に上記フランジ状壁の内縁部を着脱自在に嵌合させることで、上記内外両周壁間に嵌合溝を形成するように構成しても良い。
【図面の簡単な説明】
【００２５】
【図１】本発明の第1の実施形態に係るトリガー式液体噴出器の側面図である。
【図２】図１液体噴出器の一部斜視図である。
【図３】図１液体噴出器の作用説明図である。
【図４】図１液体噴出器の要部拡大図である。
【図５】図１液体噴出器の作用状態要部拡大図である。
【図６】本発明の第２の実施形態に係るトリガー式液体噴出器の要部拡大図である。
【符号の説明】
【００２６】
１…液体噴出容器  ２…容器本体  ３…装着筒  ４…ポンプ本体  ６…射出筒
７…トリガー  
10…ノズル筒  11…嵌合溝  12…内周壁  13…ノズル筒前壁  10a…ノズル孔
14…外向きフランジ  15…外周壁  16…筒状フード付勢手段  17…係止リブ
19…連結筒部材
21…筒状フード  22…後端部分（基筒）  23…テーパ状筒部  25…補助嵌合筒
26…大径筒部  27…内向きフランジ  28…小径筒部
31…ストッパ部材31…連結腕  33…制動板
41…被吹付け面
【図１】
2005279563.tif 000003
【図２】
2005279563.tif 000004
【図３】
2005279563.tif 000005
【図４】
2005279563.tif 000006
【図５】
2005279563.tif 000007
【図６】
2005279563.tif 000008